(57)【要約】【課題】  構造上経済的でかつ設置が効率的となるコンクリート積みブロック擁壁を提供する。【解決手段】  擁壁２０は、基礎コンクリート２１上に第１コンクリートブロック２２ａ〜２２ｃと、その上部に２段設置された道路用拡幅用の第２コンクリートブロック２３ａ及び２３ｂと、更にその上部に第３コンクリートブロック２４ａ及び２４ｂが２段積まれて構成されている。第２コンクリートブロック２３ａ及び２３ｂは柱梁２５ａ及び２５ｂを除いた部分はすべて同一形状となっていているが、柱梁２５ａ及び２５ｂは設置段によって異なっていて、柱梁２５は下段から上段にいくに従って前壁３７からの突き出しの長さが大きくなるように設定されている。更に、第３コンクリートブロック２４ａ及び２４ｂは、柱梁２６ａ及び２６ｂを含め同一形状である。これによって擁壁全体の支持状態が安定する。【選択図】      図1
2008144585.tif 000002
【特許請求の範囲】
【請求項１】
複数のコンクリートブロックを上下に積み重ねることによって形成されるコンクリートブロック積み擁壁であって、
前記コンクリートブロックのうち、所定段より下方の第１コンクリートブロックは、所定の第１勾配面を有する第１前壁を備え、
前記コンクリートブロックのうち、前記第１コンクリートブロックより上方の第２コンクリートブロックは、前記第１勾配面と同一の勾配面を有する第２前壁と、前記第２前壁の外方側に接続され、前記第１勾配面より急な勾配で上下に延びる第１柱梁とを備え、
前記コンクリートブロックのうち、前記第２コンクリートブロックより上方の第３コンクリートブロックは、前記第１勾配面より急な第２勾配面を有する第３前壁と、前記第３前壁の外方側に接続され、前記第１柱梁の勾配と同一の勾配で上下に延びる第２柱梁とを備えた、コンクリートブロック積み擁壁。
【請求項２】
前記第３コンクリートブロックは上下に複数設置されると共に、各々は同一形状に形成される、請求項１記載のコンクリートブロック積み擁壁。
【請求項３】
前記第１コンクリートブロックは、前記第１前壁に対向すると共に前記第１前壁と同一勾配の第１後壁を有し、
前記第２コンクリートブロックは、前記第２前壁に対向すると共に前記第２前壁と同一勾配の第２後壁を有し、
前記第３コンクリートブロックは、前記第３前壁に対向すると共に前記第３前壁と同一勾配の第３後壁を有し、
前記第２勾配面の勾配は鉛直である、請求項２記載のコンクリートブロック積み擁壁。
【請求項４】
前記第１コンクリートブロックは、前記第１前壁に対向すると共に前記第１前壁と同一勾配の第１後壁を有し、
前記第２コンクリートブロックは、前記第２前壁に対向すると共に前記第２前壁と同一勾配の第２後壁を有し、
前記第３コンクリートブロックは、前記第３前壁に対向すると共に前記第１勾配面と同一勾配の第３後壁を有する、請求項２記載のコンクリートブロック積み擁壁。
【請求項５】
複数のコンクリートブロックを上下に積み重ねることによって形成されるコンクリートブロック積み擁壁であって、
前記コンクリートブロックのうち、所定段より下方の第１コンクリートブロックは、所定の第１勾配面を有する第１前壁を備え、
前記コンクリートブロックのうち、前記第１コンクリートブロックより上方の第２コンクリートブロックは、前記第１勾配面の勾配より急な第２勾配面を有する第２前壁を備えた、コンクリートブロック積み擁壁。
【請求項６】
前記第１コンクリートブロックは上下に複数設置される共に、各々は同一形状に形成され、
前記第２コンクリートブロックは上下に複数設置される共に、各々は同一形状に形成される、請求項５記載のコンクリートブロック積み擁壁。
【請求項７】
前記第１コンクリートブロックは、前記第１前壁に対向すると共に前記第１前壁と同一勾配の第１後壁を有し、
前記第２コンクリートブロックは、前記第２前壁に対向すると共に前記第２前壁と同一勾配の第２後壁を有し、
前記第２勾配面の勾配は鉛直であると共に、前記第２コンクリートブロックにおける前記第２前壁と前記第２後壁との間隔が前記第１コンクリートブロックの前記第１前壁と前記第１後壁との水平間隔とほぼ同一になるように設定された、請求項６記載のコンクリートブロック積み擁壁。
【請求項８】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段のブロックにおける前記第２前壁と前記第２後壁との間隔が前記第１コンクリートブロックの前記第１前壁と前記第１後壁との水平間隔とほぼ同一になるように設定され、
前記第２コンクリートブロックのうち前記最下段より上のブロックの各々は上方に行くに従って前記第２前壁と前記第２後壁との間隔が小さくなるように設定された、請求項５記載のコンクリートブロック積み擁壁。
【請求項９】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段のブロックにおける前記第２前壁と前記第２後壁との間隔が前記第１コンクリートブロックの前記第１前壁と前記第１後壁との水平間隔とほぼ同一になるように設定され、
前記第２コンクリートブロックのうち前記最下段より上のブロックの各々は上方に行くに従って前記第２前壁と前記第２後壁との間隔が大きくなるように設定された、請求項５記載のコンクリートブロック積み擁壁。
【請求項１０】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段ブロックは、前記第２前壁と前記第２後壁との間隔が前記第１コンクリートブロックの前記１前壁と前記第１後壁との水平間隔より大きくなるように設定され、
前記前記第２コンクリートブロックのうち最下段ブロックより上方のブロックの各々の前記第２前壁と前記第２後壁との間隔は、前記第２前壁と前記第２後壁との間隔が前記第１コンクリートブロックの前記第１前壁と前記第１後壁との水平間隔より小さくなるように設定された、請求項５記載のコンクリートブロック積み擁壁。
【請求項１１】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段のブロックは、前記第２前壁と前記第２後壁との間隔が前記第１コンクリートブロックの前記第１前壁と前記第１後壁との水平間隔とほぼ同一になるように設定されると共に、前記第２後壁から背面側に伸びる底板を備え、
前記前記第２コンクリートブロックのうち最下段のブロックより上方のブロックの各々の前記第２前壁と前記第２後壁との間隔は、前記第２前壁と前記第２後壁との間隔が前記第１コンクリートブロックの前記１前壁と前記第１後壁との水平間隔より小さくなるように設定された、請求項５記載のコンクリートブロック積み擁壁。
【請求項１２】
前記第２コンクリートブロックのうち最上段のブロックは、前記第２前壁から外方側に一体的に形成され、手摺等の差込口を有する突出部を備えた、請求項５から請求項１１のいずれかに記載のコンクリートブロック積み擁壁。
【発明の詳細な説明】
【技術分野】
【０００１】
本発明は、コンクリートブロック積み擁壁に関し、特に山間部等に道路の拡幅を形成する際、前壁の法勾配が２割勾配（１：２．０）から略垂直の間のコンクリート擁壁上部へ、道路の拡幅施工を同時かつ容易に、しかも、経済的にできるコンクリート積みブロック擁壁に関するものである。
【背景技術】
【０００２】
図１９は従来のコンクリートブロック積み擁壁の施工断面図であり、図２０は図１９で示した擁壁の一部の概略構造を示した斜視図である。
【０００３】
これらの図を参照して、擁壁８０は道路拡幅用の第１コンクリートブロック２３ａ〜２３ｄが、通常使用されている第２コンクリートブロック２２ａ〜２２ｃの上部に積まれた状態で構成されている。第２コンクリートブロック２２はすべて同一形状になっている。それに対し、第１コンクリートブロック２３は上下の配置段が異なったものであっても柱梁２５を除いた部分はすべて同一形状になっているが、柱梁２５ａ〜２５ｄの形状は設置段によって異なっている。すなわち、柱梁２５は下段から上段にいくに従って第１コンクリートブロック２３ａ〜２３ｄの前壁からの突き出しの長さが大きくなるように設定されている。そして、これらを積み上げたとき、柱梁２５の各々の先端部が上下に整列するように構成されている。最上段の第１コンクリートブロック２３ｄを設置した後、排水のための裏込砕石２７を第１コンクリートブロック２２及び第２コンクリートブロック２３の後壁の背面に設置する。そして、第２コンクリートブロック２３ｄの上に手摺３２設置用の基礎ブロック３０を載置する。その後、手摺３２を固定すると共に、縁石３１を介して歩道面３３及び車道面３４を設置する。
【発明の開示】
【発明が解決しようとする課題】
【０００４】
上記のような従来の道路の拡幅の方法では、柱梁の形状を配置段ごとに各々形状の異なるコンクリートブロックを製造しなければならなく不経済であり、又吊り上げ荷重が上段にいくにつれて大きくなるため、設置するときの効率がよいとは言えなかった。
【０００５】
この発明は、上記のような課題を解決するためになされたもので、構造上経済的でかつ設置が効率的となるコンクリート積みブロック擁壁を提供することを目的とする。
【課題を解決するための手段】
【０００６】
上記の目的を達成するために、請求項１記載の発明は、複数のコンクリートブロックを上下に積み重ねることによって形成されるコンクリートブロック積み擁壁であって、コンクリートブロックのうち、所定段より下方の第１コンクリートブロックは、所定の第１勾配面を有する第１前壁を備え、コンクリートブロックのうち、第１コンクリートブロックより上方の第２コンクリートブロックは、第１勾配面と同一の勾配面を有する第２前壁と、第２前壁の外方側に接続され、第１勾配面より急な勾配で上下に延びる第１柱梁とを備え、コンクリートブロックのうち、第２コンクリートブロックより上方の第３コンクリートブロックは、第１勾配面より急な第２勾配面を有する第３前壁と、第３前壁の外方側に接続され、第１柱梁の勾配と同一の勾配で上下に延びる第２柱梁とを備えたものである。
【０００７】
このように構成すると、最上段の第３コンクリートブロックで支持することができる範囲が拡大すると共に、第２柱梁の突き出し量が小さくなる。
【０００８】
請求項２記載の発明は、請求項１記載の発明において、第３コンクリートブロックは上下に複数設置されると共に、各々は同一形状に形成されるものである。
【０００９】
このように構成すると、第３コンクリートブロックは１種類となる。
【００１０】
請求項３記載の発明は、請求項２記載の発明の構成において、第１コンクリートブロックは、第１前壁に対向すると共に第１前壁と同一勾配の第１後壁を有し、第２コンクリートブロックは、第２前壁に対向すると共に第２前壁と同一勾配の第２後壁を有し、第３コンクリートブロックは、第３前壁に対向すると共に第３前壁と同一勾配の第３後壁を有し、第２勾配面の勾配は鉛直であるものである。
【００１１】
このように構成すると、第３コンクリートブロックの第３後壁は鉛直方向に整列する。
【００１２】
請求項４記載の発明は、請求項２記載の発明の構成において、第１コンクリートブロックは、第１前壁に対向すると共に第１前壁と同一勾配の第１後壁を有し、第２コンクリートブロックは、第２前壁に対向すると共に第２前壁と同一勾配の第２後壁を有し、第３コンクリートブロックは、第３前壁に対向すると共に第１勾配面と同一勾配の第３後壁を有するものである。
【００１３】
このように構成すると、最下段の第３コンクリートブロックの第３後壁は最上段の第２コンクリートブロックの第２後壁に整列する。
【００１４】
請求項５記載の発明は、複数のコンクリートブロックを上下に積み重ねることによって形成されるコンクリートブロック積み擁壁であって、コンクリートブロックのうち、所定段より下方の第１コンクリートブロックは、所定の第１勾配面を有する第１前壁を備え、コンクリートブロックのうち、第１コンクリートブロックより上方の第２コンクリートブロックは、第１勾配面の勾配より急な第２勾配面を有する第２前壁を備えたものである。
【００１５】
このように構成すると、最上段の第２コンクリートブロックで支持することができる範囲が拡大する。
【００１６】
請求項６記載の発明は、請求項５記載の発明の構成において、第１コンクリートブロックは上下に複数設置される共に、各々は同一形状に形成され、第２コンクリートブロックは上下に複数設置される共に、各々は同一形状に形成されるものである。
【００１７】
このように構成すると、全体として２種類のコンクリートブロックになる。
【００１８】
請求項７記載の発明は、請求項６記載の発明の構成において、第１コンクリートブロックは、第１前壁に対向すると共に第１前壁と同一勾配の第１後壁を有し、第２コンクリートブロックは、第２前壁に対向すると共に第２前壁と同一勾配の第２後壁を有し、第２勾配面の勾配は鉛直であると共に、第２コンクリートブロックにおける第２前壁と第２後壁との間隔が第１コンクリートブロックの第１前壁と第１後壁との水平間隔とほぼ同一になるように設定されるものである。
【００１９】
このように構成すると、第２コンクリートブロックの第２後壁は鉛直方向に整列する。
【００２０】
請求項８記載の発明は、請求項５記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段のブロックにおける第２前壁と第２後壁との間隔が第１コンクリートブロックの１前壁と第１後壁との水平間隔とほぼ同一になるように設定され、第２コンクリートブロックのうち最下段より上のブロックの各々は上方にいくに従って第２前壁と第２後壁との間隔が小さくなるように設定される。
【００２１】
このように構成すると、最下段の第２コンクリートブロックにおいて上方の第２コンクリートブロックが載置されていない面に上方から土圧がかかる。
【００２２】
請求項９記載の発明は、請求項５記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段のブロックにおける第２前壁と第２後壁との間隔が第１コンクリートブロックの第１前壁と第１後壁との水平間隔とほぼ同一になるように設定され、第２コンクリートブロックのうち最下段より上のブロックの各々は上方にいくに従って第２前壁と第２後壁との間隔が大きくなるように設定されるものである。
【００２３】
このように構成すると、上方にいくに従って第２コンクリートブロックの自重が増加する。
【００２４】
請求項１０記載の発明は、請求項５記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段ブロックは、第２前壁と第２後壁との間隔が第１コンクリートブロックの第１前壁と第１後壁との水平間隔より大きくなるように設定され、第２コンクリートブロックのうち最下段ブロックより上方のブロックの各々の第２前壁と第２後壁との間隔は、第２前壁と第２後壁との間隔が第１コンクリートブロックの第１前壁と第１後壁との水平間隔より小さくなるように設定されるものである。
【００２５】
このように構成すると、最下段の第２コンクリートブロックにおいて上方の第２コンクリートブロックが載置されていない面に上方から大きな土圧がかかる。
【００２６】
請求項１１記載の発明は、請求項５記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段のブロックは、第２前壁と第２後壁との間隔が第１コンクリートブロックの第１前壁と第１後壁との水平間隔とほぼ同一になるように設定されると共に、第２後壁から背面側に伸びる底板を備え、第２コンクリートブロックのうち最下段のブロックより上方のブロックの各々の第２前壁と第２後壁との間隔は、第２前壁と第２後壁との間隔が第１コンクリートブロックの第１前壁と第１後壁との水平間隔より小さくなるように設定されるものである。
【００２７】
このように構成すると、最下段の第２コンクリートブロックにおいて上方の第２コンクリートブロックが載置されていない面と底板とに上方から大きな土圧がかかる。
【００２８】
請求項１２記載の発明は、請求項５から請求項１１のいずれかに記載の発明の構成において、第２コンクリートブロックのうち最上段のブロックは、第２前壁から外方側に一体的に形成され、手摺等の差込口を有する突出部を備えるものである。
【００２９】
このように構成すると、手摺等を前壁より外方側に配置することができる。
【発明の効果】
【００３０】
以上説明したように、請求項１記載の発明は、最上部の第３コンクリートブロックで支持できる範囲が拡大できるので、効率的な擁壁となる。特に、傾斜面を掘削して擁壁を建設して道路等を形成する場合、擁壁の支持できる範囲が山側とは反対側に拡張できるため、掘削範囲を縮減することができ、工期面及びコスト面等に有利となる。さらに、第３コンクリートブロックの存在により、第２柱梁の負担が軽減するため構造上の信頼性が向上する。
【００３１】
請求項２記載の発明は、請求項１記載の発明の効果に加えて、第３コンクリートブロックは１種類となるので効率的で経済的な擁壁となる。
【００３２】
請求項３記載の発明は、請求項２記載の発明の効果に加えて、第３コンクリートブロックの第３後壁が鉛直方向に整列するので、擁壁全体の支持状態が安定する。
【００３３】
請求項４記載の発明は、請求項２記載の発明に加えて、最下段の第３コンクリートブロックの第３後壁は最上段の第２コンクリートブロックの第２後壁に整列するので、第２コンクリートブロックの支持状態が安定する。
【００３４】
請求項５記載の発明は、最上段の第２コンクリートブロックで支持することができる範囲が拡大するので、掘削範囲を縮減することができる。
【００３５】
請求項６記載の発明は、請求項５記載の発明の効果に加えて、全体として２種類のコンクリートブロックになるので、経済的にも効率的な擁壁となる。
【００３６】
請求項７記載の発明は、請求項６記載の発明の効果に加えて、第２コンクリートブロックの第２後壁は鉛直方向に整列するので、第２コンクリートブロックの支持状態が安定する。
【００３７】
請求項８記載の発明は、請求項５記載の発明の効果に加えて、最下段の第２コンクリートブロックにおいて上方の第２コンクリートブロックが載置されてない面に上方から土圧がかかるので、第２コンクリートブロックの支持状態が安定する。
【００３８】
請求項９記載の発明は、請求項５記載の発明の効果に加えて、上方にいくに従って第２コンクリートブロックの自重が増加するので、擁壁全体の支持状態が安定する。
【００３９】
請求項１０記載の発明は、請求項５記載の発明の効果に加えて、最下段の第２コンクリートブロックにおいて上方の第２コンクリートブロックが載置されていない面と底板とに上方から大きな土圧がかかるので、擁壁全体の支持状態が安定する。
【００４０】
請求項１１記載の発明は、請求項５記載の発明の効果に加えて、最下段の第２コンクリートブロックにおいて上方の第２コンクリートブロックが載置されていない面と底板とに上方から大きな土圧がかかるので、擁壁全体の支持状態が安定する。
【００４１】
請求項１２記載の発明は、請求項５から請求項１１のいずれかに記載の発明の効果に加えて、手摺等を前壁より外方側に配置することができるので、同じ山側の掘削量に対して、道路幅員を拡大することができる。
【発明を実施するための最良の形態】
【００４２】
図１はこの発明の第１の実施の形態によるコンクリートブロック積み擁壁の施工断面図であり、図２は図１で示した擁壁の一部の概略構造を示した斜視図であり、図３は図１で示した擁壁に用いられているコンクリートブロックの一部の概略構造を示した斜視図であり、図４は図１で示した擁壁に用いられているコンクリートブロックの他の一部の概略構造を示した斜視図であり、図５は図１で示した擁壁に用いられているコンクリートブロックの更に他の一部の概略構造を示した斜視図である。
【００４３】
これらの図を参照して、擁壁２０は、基礎コンクリート２１の上に３段設置された通常形状の第１コンクリートブロック２２ａ〜２２ｃと、最上段の第１コンクリートブロック２２ｃの上部に、２段設置された道路拡幅用の第２コンクリートブロック２３ａ及び２３ｂと、そして更にその上部に、第３コンクリートブロック２４ａ及び２４ｂとが２段に積まれた状態で構成されている。
【００４４】
第１コンクリートブロック２２ａ〜２２ｃは、図３に示されているように、矩形平板状でその前面の法勾配が２割程度の第１前壁３７ａと、その内方側の中央に接続された控壁３８ａと、控壁３８ａに接続され、第１前壁３７ａと略平行に設置される平板状の第１後壁３９ａとからなる。
【００４５】
第２コンクリートブロック２３ａ及び２３ｂの各々は、図４に示されているように、第１柱梁２５を除いて第１コンクリートブロック２２と略同一形状である。すなわち、第２コンクリートブロック２３は、矩形平板状の第２前壁３７ｂと、その内方側の中央に接続された平板状の控壁３８ｂと、控壁３８ｂに接続され、第２前壁３７ｂと略平行に設置される矩形平板状の第２後壁３９ｂと、第２前壁３７ｂの外方側に接続され、第２前壁３７ｂの勾配より急な勾配（ほぼ垂直勾配）で上下に延びる柱状の第１柱梁２５ａ及び２５ｂとからなる。第２コンクリートブロック２３ａ及び２３ｂは、上下の配置段が異なったものであっても第１柱梁２５を除いた部分はすべて同一形状となっているが、第１柱梁２５の形状は設置段によって異なっている。すなわち、第１柱梁２５は下段のものから上段にいくに従って第２前壁３７ｂからの突き出し長さが大きくなるように設定されている。そして、これらを積み上げたとき、図１等に示されているように第１柱梁２５の各々の前面部が上下に整列するように構成されている。
【００４６】
第３コンクリートブロック２４ａ及び２４ｂの各々は、図５に示されているように、矩形平板状でその前面の法勾配がほぼ垂直の第３前壁３７ｃと、その内方側の中央に接続された平板状の控壁３８ｃと、控壁３８ｃに接続され、第３前壁３７ｃと略平行に設置される矩形平板状の第３後壁３９ｃと、第３前壁３７ｃの外方側に接続され、第３前壁３７ｃと同勾配で上下に延びる中空柱状の第２柱梁２６とからなる。この結果、第３コンクリートブロック２４の各々は鉛直方向に整列することになる。このように第３コンクリート２４の各々は同一形状のコンクリートブロックを使用することになるので効率的で経済的な擁壁となる。
【００４７】
尚、第１柱梁２５には上下に貫通する開口４０が形成され、第２柱梁２６にも開口４０の上部に位置しそれに繋がって貫通する開口４１が形成されているが、この開口はなくてもよい。又、前壁３７ｂの勾配は５分（１：０．５）としているが、２割勾配から垂直勾配であれば同様に適用できる。
【００４８】
尚、第１コンクリートブロック２２ａ〜２２ｃ、第２コンクリートブロック２３ａ及び２３ｂ、第３コンクリートブロック２４ａ及び２４ｂは、いずれもプレキャスト製品であり、工場にて製造されるものである。したがって、各構成部分は一体となって製造されるため強度上の信頼性が高い。
【００４９】
次に、この擁壁の施工順序について説明する。
【００５０】
まず、擁壁２０を形成する山の斜面を所定量掘削した後、水平に形成された地盤面の上に擁壁２０の基礎となる基礎コンクリート２１を打設する。その上に第１コンクリートブロック２２ａ〜２２ｃをその第１前壁３７ａの外方面が整列するように順次積み上げていく。このとき第１前壁３７ａと第１後壁３９ａとの間のスペースに、現場打コンクリート２９ａ〜２９ｃを打設する。
【００５１】
次に、最上段の第１コンクリートブロック２２ｃの上部に第２コンクリートブロック２３ａ及び２３ｂを各々の第２前壁３７ｂが互いに整列するように順次積み上げる。第２コンクリートブロック２３の第２前壁３７ｂには第１柱梁２５が形成されているが、上述のようにこの第１柱梁２５の前方端が上下方向に整列するように形成されている。これによって第２コンクリートブロック２３の第２前壁３７ｂによって構成されている勾配面より急な勾配（この実施の形態では略垂直）で上方に延びる柱梁２５が形成されることになる。このとき、上記同様、第２前壁３７ｂと第２後壁３９ｂとの間のスペースに現場打コンクリート２９ａ〜２９ｃを打設し、更に、第１柱梁２５の開口４０に現場打コンクリート３６を打設する。尚、これらの先端は擁壁２０のつま先から距離Ｌだけ後方に位置しているので、転倒計算上は安全側となる。
【００５２】
さらに、第２コンクリートブロック２３ｂの上部に第３コンクリートブロック２４ａ及び２４ｂを第３前壁３７ｃが整列するように順次積み上げる。第３コンクリートブロック２４の第３前壁３７ｃには第２柱梁２６が形成されているが、上述のようにこの第２柱梁２６は上下方向に鉛直に整列するように形成されている。このとき、上記同様、第３前壁３７ｃと第３後壁３９ｂとの間のスペースに現場打コンクリート２９ａ〜２９ｃを打設し、第２柱梁２６の開口４１に現場打コンクリート３６を打設する。これによって第３コンクリートブロック２４の支持状態が安定する。
【００５３】
尚、第１コンクリートブロック２２の上部に第２コンクリートブロック２３、さらにその上部に第３コンクリートブロック２４を積み上げる際に、現場打コンクリート２９ａ〜２９ｃを順次打設するため、第１コンクリートブロック２２、第２コンクリートブロック２３及び第３コンクリートブロック２４も上下、左右に強固に連結される。
【００５４】
尚、この現場打コンクリート２９の打設前に鉄筋２８が該当スペースに挿入されているので、現場打コンクリート２９による連結状態がより強固となる。さらに、第２コンクリートブロック２３の第１柱梁２５と、第３コンクリートブロック２４の第２柱梁２６には、それぞれ開口４０及び４１が形成されている。この開口内部にも鉄筋３５を配置した後、現場打コンクリート３６を打設する。これによって、柱梁２５及び２６も上下に強固に連結されることになる。
【００５５】
このように基礎ブロック３０は上下に連続する柱梁２５及び２６により支持されるため、大きな輪荷重が上部から作用しても柱梁には圧縮力が働くが大きな曲げモーメントは発生しない。又、擁壁の構築と同時に柱梁が構築されるため工期が短くなり効率的な工法となる。更に、第２コンクリートブロック２３は形状的には第１コンクリートブロック２２に第１柱梁２５を付加したものである。更に、第３コンクリートブロック２４は第２コンクリートブロック２３の上部の形状にあわせて上下段にかかわらず同形状となっている。そのため、第３コンクリートブロック２４は１種類なので製造コストが削減できると共に、吊り上げ荷重が一定となるため工期時間の短縮となる。
【００５６】
また、最上段の第３コンクリートブロック２４ｂの上部の施設は、図１９で示した従来のコンクリートブロック積み擁壁と略同一なので、ここではあえて繰り返さない。
【００５７】
図６はこの発明の第１の実施の形態による擁壁の施工効果を説明するための概略側面図である。
【００５８】
図６の（１）は１種類のコンクリートブロックのみで擁壁を形成した状態を示している。すなわち、この擁壁に用いられるコンクリートブロック４ａ〜４ｇは、図４で示されたもののみで最下段から最上段まで積み上げられている。この例にあっては、擁壁の勾配を５分としている。この場合、道路幅をＷだけ確保するには、山の斜面１８の道路施工位置より上方の部分５２を掘削する必要がある。
【００５９】
一方、図６の（２）に示すこの発明の第１の実施の形態による擁壁２０であれば、第２コンクリートブロック２３ａ及び２３ｂには第１柱梁２５ａ及び２５ｂが一体化され、第３コンクリートブロック２４ａ及び２４ｂには第２柱梁２６ａ及び２６ｂが一体化されている。したがって、擁壁２０の最上部における道路として使用できる幅は、破線で示した図６の（１）に対応した位置からＷ１だけ拡大する。このため、斜面１８はＷ１だけ掘削する必要が無くなることになり、掘削に要する時間とコストとを削減する。また、前壁と後壁とが上下に連続するため、第２コンクリートブロック２３及び第３コンクリートブロック２４の支持状態が安定する。
【００６０】
図７はこの発明の第２の実施の形態によるコンクリートブロック積み擁壁の施工断面図であり、図８は図７で示した擁壁に用いられているコンクリートブロックの一部の概略構造を示した斜視図である。
【００６１】
これらの図を参照して、この実施の形態による擁壁４２は、基礎コンクリート２１の上部に３段設置された、通常形状の第１コンクリートブロック２２ａ〜２２ｃと、第１コンクリートブロック２２ｃの上部に設置された道路拡幅用の第２コンクリートブロック２３、そして更にその上部に、第３コンクリートブロック４３ａ〜４３ｃが３段に積まれた状態で構成されている。
【００６２】
第１コンクリートブロック２２ａ〜２２ｃは、先の第１の実施の形態による第１コンクリートブロック２２ａ〜２２ｃと略同一形状である。そして、その上の第２コンクリートブロック２３は、先の第１の実施の形態による第２コンクリートブロック２３ａと略同一形状である。更に、図８に示されているように、第３コンクリートブロック４３ａ〜４３ｃの各々は、矩形平板状で前面の法勾配が前壁３７と、その内方側の中央に接続された平板状の控壁３８と、控壁３８に接続され、前壁３７の勾配より緩やかな勾配で、かつ第２コンクリートブロック２３の後壁３９の勾配と同勾配で、上下に延びる矩形平板状の後壁３９と、前壁３７と同一勾配で上下の外方側に延びる中空柱状の柱梁２6ａ〜２６ｃとからなる。これによって、第３コンクリートブロック４３の前壁３７は鉛直方向に整列し、最下段の第３コンクリートブロック４３ａの前壁３７は第２コンクリートブロック２３の前壁３７に整列する。これによって、第３コンクリートブロック４３と第２コンクリートブロック２３の支持状態は安定する。また第３コンクリートブロック４３が一種類ですむことから、製造コストが削減できると共に、吊り下げ荷重が一定となるため工期時間の短縮となる。
【００６３】
この擁壁４２の施工順序は、先の第１の実施の形態によるものと基本的に同一であるので、ここでの説明は繰り返さない。
【００６４】
図９はこの発明の第３の実施の形態によるコンクリートブロック積み擁壁の施工断面図であり、図１０は図９で示した擁壁の一部の概略構造を示した斜視図であって、図１１は図９で示した擁壁に用いられているコンクリートブロックの一部の概略構造を示した斜視図である。
【００６５】
これらの図を参照して、擁壁４５は、基礎コンクリート２１の上部に４段設置された通常形状の第１コンクリートブロック２２ａ〜２２ｄと、第１コンクリートブロック２２ｄの上部に、道路拡幅用の第２コンクリートブロック４６ａ〜４６ｃが３段に積まれた状態で構成されている。
【００６６】
第１コンクリートブロック２２は、先の第１の実施の形態の第１コンクリートブロック２２によるものと略同一形状である。そして、第２コンクリートブロック４６は第１の実施の形態による第３コンクリートブロック２４の柱梁２６を除いた形状と略同一形状である。さらに、図１１に示されているように、平板状の前壁３７とその内側の中央に接続された控壁３８と、控壁３８に接続され、前壁３７と略平行に接続される平板状の後壁３９とからなる。勾配面の勾配は垂直であるとともに、第２コンクリートブロック４６ａ〜４６ｃにおける前壁３７と後壁３９との水平間隔は、第１コンクリートブロック２２の前壁３７と後壁３９との水平間隔とほぼ同一になるように設定されており、第２コンクリートブロック４６の後壁３７は鉛直方向に整列する。これにより、全体として２種類のコンクリートブロックで形成されることになり、第２コンクリートブロック４６の支持状態が安定し、製造コストが削減できると共に、吊り下げ荷重が一定となるため工期時間の短縮となる。
【００６７】
この擁壁４５の施工順序は、先の第１の実施の形態によるものと基本的に同一であるので、ここでの説明は繰り返さない。
【００６８】
図１２はこの発明の第４の実施の形態によるコンクリートブロック積み擁壁の施工断面図である。
【００６９】
図を参照して、擁壁４８は、基礎コンクリート２１の上部に４段設置された、通常形状の第１コンクリートブロック２２ａ〜２２ｄと、第１コンクリートブロック２２ｄの上部に、道路拡幅用の第２コンクリートブロック４６ａ〜４６ｃが３段に積まれた状態で構成されている。
【００７０】
第１コンクリートブロック２２は、先の第１の実施の形態の第１コンクリートブロック２２によるものと略同一形状である。そして、第２コンクリートブロック４６ａの形状は、第３の実施の形態の第２コンクリートブロック４６ａと略同一形状である。第２コンクリートブロック４６ｂ及び４６ｃとは、前壁３７と後壁３９の水平間隔が上段にいくほど狭くなる形状となっていて、第２コンクリートブロック４６ａ〜４６ｃの前壁３７が鉛直方向に整列する。これにより、最下段の第２コンクリートブロック４６ａにおいて、上方の第２コンクリートブロック４６ｂが積載されていない面に土圧がかかり、更にその上方の第２コンクリートブロック４６ｃが積載されていない面にも土圧がかかり、第２コンクリートブロック４６の支持状態が安定する。
【００７１】
この擁壁４８の施工順序は、先の第１の実施の形態によるものと基本的に同一であるので、ここでの説明は繰り返さない。
【００７２】
図１３はこの発明の第５の実施の形態によるコンクリートブロック積み擁壁の施工断面図である。
【００７３】
図を参照して、擁壁５０は、基礎コンクリート２１の上部に４段設置された、通常形状の第１コンクリートブロック２２ａ〜２２ｄと、第１コンクリートブロック２２ｄの上部に、道路拡幅用の第２コンクリートブロック４６ａ〜４６ｃが３段に積まれた状態で構成されている。
【００７４】
第１コンクリートブロック２２は、先の第１の実施の形態の第１コンクリートブロック２２によるものと略同一形状である。そして、第２コンクリートブロック４６ａの形状は、第３の実施の形態の第２コンクリートブロック４６ａと略同一形状である。第２コンクリートブロック４６ｂ及び４６ｃは、前壁３７と後壁３９の水平間隔が上段にいくほど広くなる形状となっていて、第２コンクリートブロック４６ａ〜４６ｃが鉛直方向に整列する。これにより、第２コンクリートブロック４６の上方にいくに従って自重が増加し、擁壁全体の支持状態が安定する。
【００７５】
この擁壁５０の施工順序は、先の第１の実施の形態によるものと基本的に同一であるので、ここでの説明は繰り返さない。
【００７６】
図１４はこの発明の第６の実施の形態によるコンクリートブロック積み擁壁の施工断面図である。
【００７７】
図を参照して、擁壁５２は、基礎コンクリート２１の上部に４段設置された、通常形状の第１コンクリートブロック２２ａ〜２２ｄと、第１コンクリートブロック２２ｄの上部に、道路拡幅用の第２コンクリートブロック４６ａ〜４６ｃが３段に積まれた状態で構成されている。
【００７８】
第１コンクリートブロック２２は、先の第１の実施の形態の第１コンクリートブロック２２によるものと同一である。そして、第２コンクリートブロック４６ａの形状は、前壁３７と後壁３９の水平間隔が、第１コンクリートブロック２２ｄのそれよりも広く構成されている。そのことを除いては、第２コンクリートブロック４６ａは先の第３の実施の形態の第２コンクリートブロック４６と略同一形状である。そして、第２コンクリートブロック４６ｂ及び４６ｃは略同一形状を示し、前壁３７と後壁３９の水平間隔は、第１コンクリートブロック２２ｄのそれよりも狭く構成されている。さらに、第２コンクリートブロック４６ａ〜４６ｃの前壁３７が鉛直方向に整列する。これにより、第２コンクリートブロック４６ａの上面で第２コンクリートブロック４６ｂ及び４６ｃが積載されていない面に土圧がかかるため、擁壁全体の支持が安定する。又、第２コンクリートブロック４６ｂ及び４６ｃは４６ａに比べて軽量となるため、吊り上げ時の施工効率が向上する。
【００７９】
この擁壁５２の施工順序は、先の第１の実施の形態によるものと基本的に同一であるので、ここでの説明は繰り返さない。
【００８０】
図１５はこの発明の第７の実施の形態によるコンクリートブロック積み擁壁の施工断面図であって、図１６は図１５で示した擁壁に用いられているコンクリートブロックの一部の概略構造を示した斜視図である。
【００８１】
これらの図を参照して、擁壁５４は、基礎コンクリート２１の上部に４段設置された、通常形状の第１コンクリートブロック２２ａ〜２２ｄと、第１コンクリートブロック２２ｄの上部に、道路拡幅用の第２コンクリートブロック４６ａ〜４６ｃが３段に積まれた状態で構成されている。
【００８２】
第１コンクリートブロック２２は、先の第１の実施の形態の第１コンクリートブロック２２によるものと略同一形状である。そして、第２コンクリートブロック４６ａの形状は、底板５６を除いて、第３の実施の形態による第２コンクリートブロック４６と略同一形状である。図１６を参照して、底板５６は、後壁３９の外方面の下部から外方面に垂直方向に突き出した矩形平板状である。さらに、その突き出し長さは後壁３９と前壁３７の水平間隔よりも短い。そして、第２コンクリートブロック４６ｂ及び４６ｃは先の第６の実施の形態の第２コンクリートブロック４６ｂ及び４６ｃと略同一形状であり、前壁３７と後壁３９の水平間隔は、この第２コンクリートブロック４６ａの後壁３９と前壁３７の水平間隔よりも狭く構成されている。これによって、第２コンクリートブロック４６ａにおいて上方の第２コンクリートブロック４６ｂ及び４６ｃが積載されていない面と底板５６の上面とに上方から大きな土圧がかかり、擁壁全体の支持状態が安定する。
【００８３】
この擁壁５４の施工順序は、先の第１の実施の形態によるものと同一であるので、ここで説明は繰り返さない。尚、第２コンクリートブロック４６ａには、底板５６が突き出ているため排水のための裏込砕石２７を設置しない。
【００８４】
図１７はこの発明の第８の実施の形態によるコンクリートブロック積み擁壁の施工断面図であって、図１８は図１７で示した擁壁に用いられるコンクリートブロックの一部の概略構造を示した斜視図である。
【００８５】
これらの図を参照して、擁壁５９は、基礎コンクリート２１の上に４段設置された通常形状の第１コンクリートブロック２２ａ〜２２ｄと、第１コンクリートブロック２２ｄの上部に設置された、道路拡幅用の第２コンクリートブロック４６ａ〜４６ｃが３段に積まれた状態で構成されている。
【００８６】
第１コンクリートブロック２２は第１の実施の形態の第１コンクリートブロック２２によるものと略同一形状であり、第２コンクリートブロック４６ａ及び４６ｂは、先の第３の実施の形態の第２コンクリートブロック４６ａ及び４６ｂによるものと略同一形状である。第２コンクリートブロック４６ｃは前壁３７、後壁３９及び控壁３８の形状は第２コンクリートブロック４６ａ及び４６ｂと略同一形状であるが、図１８に示されているように、前壁３７から前方側に手摺等３２の差込口６２を有する突出部６１を備えている。これによって、手摺等３２を前壁３７を含む垂直面より外側に配置することができ、同じ山側の掘削量に対して、道路幅員を拡大することができる。
【００８７】
この擁壁５９の施工順序は、先の第１の実施の形態によるものと基本的に同一であるので、ここでの説明は繰り返さない。
【００８８】
尚、上記の各実施の形態では、擁壁を構成する各コンクリートブロックの積み段数を特定しているが、段数は擁壁の高さ等に応じて任意に決めれば良いことは言うまでもない。
【００８９】
又、上記の各実施の形態では、各コンクリートブロックの控壁の形状を特定しているが、前壁と後壁とを連結するものであれば他の形状の控壁であっても良い。
【００９０】
更に、上記の各実施の形態では、現場打コンクリートの一体化を促進するために鉄筋を配置しているが、鉄筋は必ずしもなくても良く、あるいはＰＣ鋼棒を用いたり、これらの組み合わせを採用しても良い。
【００９１】
更に、上記の第１及び第２の実施の形態では、第１コンクリートブロックの上に第２コンクリートブロックを積んでいるが、擁壁高さが十分確保できないような場合には、基礎コンクリートブロックの上に第２コンクリートブロックを直接設置し、その上に第３コンクリートブロックを設置するように構成しても良い。
【図面の簡単な説明】
【００９２】
【図１】この発明の第１の実施の形態によるコンクリートブロック積み擁壁の施工断面図である。
【図２】図１で示した擁壁の一部の概略構造を示した斜視図である。
【図３】図１で示した擁壁に用いられているコンクリートブロックの一部の概略構造を示した斜視図である。
【図４】図１で示した擁壁に用いられているコンクリートブロックの他の一部の概略構造を示した斜視図である。
【図５】図１で示した擁壁に用いられているコンクリートブロックの更に他の一部の概略構造を示した斜視図である。
【図６】この発明の第１の実施の形態による擁壁の施工効果を説明するための概略側面図である。
【図７】この発明の第２の実施の形態によるコンクリートブロック積み擁壁の施工断面図である。
【図８】図７で示した擁壁に用いられているコンクリートブロックの一部の概略構造を示した斜視図である。
【図９】この発明の第３の実施の形態によるコンクリートブロック積み擁壁の施工断面図である。
【図１０】図９で示した擁壁の一部の概略構造を示した斜視図である。
【図１１】図９で示した擁壁に用いられているコンクリートブロックの一部の概略構造を示した斜視図である。
【図１２】この発明の第４の実施の形態によるコンクリートブロック積み擁壁の施工断面図である。
【図１３】この発明の第５の実施の形態によるコンクリートブロック積み擁壁の施工断面図である。
【図１４】この発明の第６の実施の形態によるコンクリートブロック積み擁壁の施工断面図である。
【図１５】この発明の第７の実施の形態によるコンクリートブロック積み擁壁の施工断面図である。
【図１６】図１５で示した擁壁に用いられているコンクリートブロックの一部の概略構造を示した斜視図である。
【図１７】この発明の第８の実施の形態によるコンクリートブロック積み擁壁の施工断面図である。
【図１８】図１７で示した擁壁に用いられるコンクリートブロックの一部の概略構造を示した斜視図である。
【図１９】従来のコンクリートブロック積み擁壁の施工断面図である。
【図２０】図１９で示した擁壁の一部の概略構造を示した斜視図である。
【符号の説明】
【００９３】
２０，４２，４５，４８，５０，５２，５４，５９…擁壁
２１…基礎コンクリート
２２，２３，２４，４３，４６…コンクリートブロック
２５，２６…柱梁
３７…前壁
３９…後壁
６１…突出部
６２…差込口
尚、各図面中同一符号は同一又は相当部分を示す。
【図１】
2008144585.tif 000003
【図２】
2008144585.tif 000004
【図３】
2008144585.tif 000005
【図４】
2008144585.tif 000006
【図５】
2008144585.tif 000007
【図６】
2008144585.tif 000008
【図７】
2008144585.tif 000009
【図８】
2008144585.tif 000010
【図９】
2008144585.tif 000011
【図１０】
2008144585.tif 000012
【図１１】
2008144585.tif 000013
【図１２】
2008144585.tif 000014
【図１３】
2008144585.tif 000015
【図１４】
2008144585.tif 000016
【図１５】
2008144585.tif 000017
【図１６】
2008144585.tif 000018
【図１７】
2008144585.tif 000019
【図１８】
2008144585.tif 000020
【図１９】
2008144585.tif 000021
【図２０】
2008144585.tif 000022
【手続補正書】
【提出日】平成20年4月3日(2008.4.3)
【手続補正１】
【補正対象書類名】明細書
【補正対象項目名】０００６
【補正方法】削除
【補正の内容】
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
上記の目的を達成するために、請求項１記載の発明は、複数のコンクリートブロックを上下に積み重ねることによって形成されるコンクリートブロック積み擁壁であって、コンクリートブロックのうち、所定段より下方の第１コンクリートブロックは、所定の第１勾配面を有する第１前壁を備え、コンクリートブロックのうち、第１コンクリートブロックより上方の第２コンクリートブロックは、第１勾配面の勾配より急な第２勾配面を有する第２前壁を備えたものである。
【手続補正１０】
【補正対象書類名】明細書
【補正対象項目名】００１６
【補正方法】変更
【補正の内容】
【００１６】
請求項２記載の発明は、請求項１記載の発明の構成において、第１コンクリートブロックは上下に複数設置される共に、各々は同一形状に形成され、第２コンクリートブロックは上下に複数設置される共に、各々は同一形状に形成されるものである。
【手続補正１１】
【補正対象書類名】明細書
【補正対象項目名】００１８
【補正方法】変更
【補正の内容】
【００１８】
請求項３記載の発明は、請求項２記載の発明の構成において、第１コンクリートブロックは、第１前壁に対向すると共に第１前壁と同一勾配の第１後壁を有し、第２コンクリートブロックは、第２前壁に対向すると共に第２前壁と同一勾配の第２後壁を有し、第２勾配面の勾配は鉛直であると共に、第２コンクリートブロックにおける第２前壁と第２後壁との間隔が第１コンクリートブロックの第１前壁と第１後壁との水平間隔とほぼ同一になるように設定されるものである。
【手続補正１２】
【補正対象書類名】明細書
【補正対象項目名】００２０
【補正方法】変更
【補正の内容】
【００２０】
請求項４記載の発明は、請求項１記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段のブロックにおける第２前壁と第２後壁との間隔が第１コンクリートブロックの１前壁と第１後壁との水平間隔とほぼ同一になるように設定され、第２コンクリートブロックのうち最下段より上のブロックの各々は上方にいくに従って第２前壁と第２後壁との間隔が小さくなるように設定されるものである。
【手続補正１３】
【補正対象書類名】明細書
【補正対象項目名】００２２
【補正方法】変更
【補正の内容】
【００２２】
請求項５記載の発明は、請求項１記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段のブロックにおける第２前壁と第２後壁との間隔が第１コンクリートブロックの第１前壁と第１後壁との水平間隔とほぼ同一になるように設定され、第２コンクリートブロックのうち最下段より上のブロックの各々は上方にいくに従って第２前壁と第２後壁との間隔が大きくなるように設定されるものである。
【手続補正１４】
【補正対象書類名】明細書
【補正対象項目名】００２４
【補正方法】変更
【補正の内容】
【００２４】
請求項６記載の発明は、請求項１記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段ブロックは、第２前壁と第２後壁との間隔が第１コンクリートブロックの第１前壁と第１後壁との水平間隔より大きくなるように設定され、第２コンクリートブロックのうち最下段ブロックより上方のブロックの各々の第２前壁と第２後壁との間隔は、第２前壁と第２後壁との間隔が第１コンクリートブロックの第１前壁と第１後壁との水平間隔より小さくなるように設定されるものである。
【手続補正１５】
【補正対象書類名】明細書
【補正対象項目名】００２６
【補正方法】変更
【補正の内容】
【００２６】
請求項７記載の発明は、請求項１記載の発明の構成において、第１コンクリートブロックは、第１前壁に対向すると共に第１前壁と同一勾配の第１後壁を有し、第２コンクリートブロックは複数上下に設置され、第２前壁に対向すると共に第２前壁と同一勾配の第２後壁を有すると共に第２勾配面の勾配は鉛直であり、第２コンクリートブロックのうち最下段のブロックは、第２前壁と第２後壁との間隔が第１コンクリートブロックの第１前壁と第１後壁との水平間隔とほぼ同一になるように設定されると共に、第２後壁から背面側に伸びる底板を備え、第２コンクリートブロックのうち最下段のブロックより上方のブロックの各々の第２前壁と第２後壁との間隔は、第２前壁と第２後壁との間隔が第１コンクリートブロックの第１前壁と第１後壁との水平間隔より小さくなるように設定されるものである。
【手続補正１６】
【補正対象書類名】明細書
【補正対象項目名】００２８
【補正方法】変更
【補正の内容】
【００２８】
請求項８記載の発明は、請求項１から請求項７のいずれかに記載の発明の構成において、第２コンクリートブロックのうち最上段のブロックは、第２前壁から外方側に一体的に形成され、手摺等の差込口を有する突出部を備えるものである。
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】変更
【補正の内容】
【００３４】
以上説明したように、請求項１記載の発明は、最上段の第２コンクリートブロックで支持することができる範囲が拡大するので、効率的な擁壁となる。特に、傾斜面を掘削して擁壁を建設して道路等を形成する場合、擁壁の支持できる範囲が山側とは反対側に拡張できるため、掘削範囲を縮減することができ、工期面及びコスト面等に有利となる。
【手続補正２２】
【補正対象書類名】明細書
【補正対象項目名】００３５
【補正方法】変更
【補正の内容】
【００３５】
請求項２記載の発明は、請求項１記載の発明の効果に加えて、全体として２種類のコンクリートブロックになるので、経済的にも効率的な擁壁となる。
【手続補正２３】
【補正対象書類名】明細書
【補正対象項目名】００３６
【補正方法】変更
【補正の内容】
【００３６】
請求項３記載の発明は、請求項２記載の発明の効果に加えて、第２コンクリートブロックの第２後壁は鉛直方向に整列するので、第２コンクリートブロックの支持状態が安定する。
【手続補正２４】
【補正対象書類名】明細書
【補正対象項目名】００３７
【補正方法】変更
【補正の内容】
【００３７】
請求項４記載の発明は、請求項１記載の発明の効果に加えて、最下段の第２コンクリートブロックにおいて上方の第２コンクリートブロックが載置されてない面に上方から土圧がかかるので、第２コンクリートブロックの支持状態が安定する。
【手続補正２５】
【補正対象書類名】明細書
【補正対象項目名】００３８
【補正方法】変更
【補正の内容】
【００３８】
請求項５記載の発明は、請求項１記載の発明の効果に加えて、上方にいくに従って第２コンクリートブロックの自重が増加するので、擁壁全体の支持状態が安定する。
【手続補正２６】
【補正対象書類名】明細書
【補正対象項目名】００３９
【補正方法】変更
【補正の内容】
【００３９】
請求項６記載の発明は、請求項１記載の発明の効果に加えて、最下段の第２コンクリートブロックにおいて上方の第２コンクリートブロックが載置されていない面に上方から大きな土圧がかかるので、擁壁全体の支持状態が安定する。
【手続補正２７】
【補正対象書類名】明細書
【補正対象項目名】００４０
【補正方法】変更
【補正の内容】
【００４０】
請求項７記載の発明は、請求項１記載の発明の効果に加えて、最下段の第２コンクリートブロックにおいて上方の第２コンクリートブロックが載置されていない面と底板とに上方から大きな土圧がかかるので、擁壁全体の支持状態が安定する。
【手続補正２８】
【補正対象書類名】明細書
【補正対象項目名】００４１
【補正方法】変更
【補正の内容】
【００４１】
請求項８記載の発明は、請求項１から請求項７のいずれかに記載の発明の効果に加えて、手摺等を前壁より外方側に配置することができるので、同じ山側の掘削量に対して、道路幅員を拡大することができる。
【手続補正２９】
【補正対象書類名】特許請求の範囲
【補正対象項目名】全文
【補正方法】変更
【補正の内容】
【特許請求の範囲】
【請求項１】
複数のコンクリートブロックを上下に積み重ねることによって形成されるコンクリートブロック積み擁壁であって、
前記コンクリートブロックのうち、所定段より下方の第１コンクリートブロックは、所定の第１勾配面を有する第１前壁を備え、
前記コンクリートブロックのうち、前記第１コンクリートブロックより上方の第２コンクリートブロックは、前記第１勾配面の勾配より急な第２勾配面を有する第２前壁を備えた、コンクリートブロック積み擁壁。
【請求項２】
前記第１コンクリートブロックは上下に複数設置される共に、各々は同一形状に形成され、
前記第２コンクリートブロックは上下に複数設置される共に、各々は同一形状に形成される、請求項１記載のコンクリートブロック積み擁壁。
【請求項３】
前記第１コンクリートブロックは、前記第１前壁に対向すると共に前記第１前壁と同一勾配の第１後壁を有し、
前記第２コンクリートブロックは、前記第２前壁に対向すると共に前記第２前壁と同一勾配の第２後壁を有し、
前記第２勾配面の勾配は鉛直であると共に、前記第２コンクリートブロックにおける前記第２前壁と前記第２後壁との間隔が前記第１コンクリートブロックの前記第１前壁と前記第１後壁との水平間隔とほぼ同一になるように設定された、請求項２記載のコンクリートブロック積み擁壁。
【請求項４】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段のブロックにおける前記第２前壁と前記第２後壁との間隔が前記第１コンクリートブロックの前記第１前壁と前記第１後壁との水平間隔とほぼ同一になるように設定され、
前記第２コンクリートブロックのうち前記最下段より上のブロックの各々は上方に行くに従って前記第２前壁と前記第２後壁との間隔が小さくなるように設定された、請求項１記載のコンクリートブロック積み擁壁。
【請求項５】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段のブロックにおける前記第２前壁と前記第２後壁との間隔が前記第１コンクリートブロックの前記第１前壁と前記第１後壁との水平間隔とほぼ同一になるように設定され、
前記第２コンクリートブロックのうち前記最下段より上のブロックの各々は上方に行くに従って前記第２前壁と前記第２後壁との間隔が大きくなるように設定された、請求項１記載のコンクリートブロック積み擁壁。
【請求項６】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段ブロックは、前記第２前壁と前記第２後壁との間隔が前記第１コンクリートブロックの前記１前壁と前記第１後壁との水平間隔より大きくなるように設定され、
前記前記第２コンクリートブロックのうち最下段ブロックより上方のブロックの各々の前記第２前壁と前記第２後壁との間隔は、前記第２前壁と前記第２後壁との間隔が前記第１コンクリートブロックの前記第１前壁と前記第１後壁との水平間隔より小さくなるように設定された、請求項１記載のコンクリートブロック積み擁壁。
【請求項７】
前記第１コンクリートブロックは、前記第１前壁に対向すると共に前記第１前壁と同一勾配の第１後壁を有し、
前記第２コンクリートブロックは複数上下に設置され、前記第２前壁に対向すると共に前記第２前壁と同一勾配の第２後壁を有すると共に前記第２勾配面の勾配は鉛直であり、
前記第２コンクリートブロックのうち最下段のブロックは、前記第２前壁と前記第２後壁との間隔が前記第１コンクリートブロックの前記第１前壁と前記第１後壁との水平間隔とほぼ同一になるように設定されると共に、前記第２後壁から背面側に伸びる底板を備え、
前記前記第２コンクリートブロックのうち最下段のブロックより上方のブロックの各々の前記第２前壁と前記第２後壁との間隔は、前記第２前壁と前記第２後壁との間隔が前記第１コンクリートブロックの前記１前壁と前記第１後壁との水平間隔より小さくなるように設定された、請求項１記載のコンクリートブロック積み擁壁。
【請求項８】
前記第２コンクリートブロックのうち最上段のブロックは、前記第２前壁から外方側に一体的に形成され、手摺等の差込口を有する突出部を備えた、請求項１から請求項７のいずれかに記載のコンクリートブロック積み擁壁。